(57)【要約】      （修正有）【課題】原稿画像を解析し、ガイドマークを付加する必要があるかないかを判断し、必要があれば、埋め込むので、余白領域の形状や位置を考慮して記録媒体を分別することができる画像形成装置を提供する。【解決手段】描画データ生成装置２０及び画像形成装置１は、描画情報ＳＢを解析して第１描画データＳ２１を生成する描画データ生成手段２１と、前記第１描画データＳ２１に基づいて、画像形成用の記録媒体の余白領域の目安を示すガイドマークを前記第１画像データＳ２１に埋め込む必要があるか否かを判断して、前記ガイドマークが必要なときは前記ガイドマークを前記第１描画データＳ２１に埋め込んで第２描画データＳ２２を生成するガイドマーク埋め込み手段２２と、を備えている。これにより、描画データ生成装置２０及び画像形成装置１は、原稿読み取り装置がなくても、記録媒体における余白領域の形状や位置を考慮して認識できる。【選択図】図１
2014064228.tif 000002
【特許請求の範囲】
【請求項１】
描画情報を解析して第１描画データを生成する描画データ生成手段と、
前記第１描画データに基づいて、画像形成用の記録媒体の余白領域の目安を示すガイドマークを前記第１画像データに埋め込む必要があるか否かを判断して、前記ガイドマークが必要なときは前記ガイドマークを前記第１描画データに埋め込んで第２描画データを生成するガイドマーク埋め込み手段と、
を備えたことを特徴とする描画データ生成装置。
【請求項２】
前記ガイドマーク埋め込み手段は、
前記記録媒体の全体に対する前記余白領域の割合が所定の割合を超えるか否かに基づいて、前記ガイドマークを埋め込む必要があるか否かを判断することを特徴とする請求項１記載の描画データ生成装置。
【請求項３】
前記ガイドマークは、
前記記録媒体の全体に対する前記余白領域の割合及び位置に応じた複数の種類を有することを特徴とする請求項１記載の描画データ生成装置。
【請求項４】
前記ガイドマーク埋め込み手段は、
ユーザが前記ガイドマークを埋め込むか否かの指定可能な構成になっていることを特徴とする請求項１〜３のいずれか１項記載の描画データ生成装置。
【請求項５】
前記ガイドマーク埋め込み手段は、
前記第２描画データを前記記録媒体に描画する際、前記第１描画データによる描画に影響を与えない印刷範囲境界の位置に前記ガイドマークを描画することを特徴とする請求項１〜４のいずれか１項記載の描画データ生成装置。
【請求項６】
前記印刷範囲境界の位置は、
前記記録媒体の全体に対する前記余白領域の割合に応じた描画位置とすることを特徴とする請求項５記載の描画データ生成装置。
【請求項７】
前記描画データ生成手段は、
前記描画情報を解析して前記第１描画データを生成する図形解析部と、
前記記録媒体の全体における前記余白領域が多く取れるように、前記第１描画データが前記記録媒体に描画された領域の位置を補正して第３描画データを生成して、前記第３描画データを出力する位置補正部と、
を有することを特徴とする請求項１〜６のいずれか１項記載の描画データ生成装置。
【請求項８】
請求項１〜７のいずれか１項に記載の描画データ生成装置と、
前記描画データ生成装置で生成された前記第２描画データから、前記記録媒体に対する画像形成用の画像データを生成する画像データ生成手段と、
生成された前記画像データに基づいて前記記録媒体に画像を形成する画像形成手段と、
を備えたことを特徴とする画像形成装置。
【発明の詳細な説明】
【技術分野】
【０００１】
本発明は、描画データ生成装置及びそれを用いた画像形成装置に関するものである。
【背景技術】
【０００２】
文章、図、グラフ、写真等の複数のアプリケーションで表された情報を、１つのドキュメントとして用紙等の記録媒体上に画像形成して出力することは、従来から行われていた。しかし、複数のアプリケーションで表された情報を、簡単に１つのドキュメントに統合できなかったり、既に画像形成された記録媒体上のドキュメントに対して、後から画像データを追加したくなったり、更には、省資源化のために余白領域を有効利用するために、既に画像形成済みの記録媒体の余白領域に再度、画像形成する機会も増えてきた。
【０００３】
下記特許文献１には、画像形成済みの記録媒体上に再度画像を形成する画像形成装置が記載されている。この画像形成装置では、既に画像形成された記録媒体を読み取って余白領域の面積や余白領域の有効度を算出し、余白有効度毎に画像形成済みの記録媒体を分別しトレイによって仕分けることができる。更に、分別された記録媒体に再度画像形成を行うことが可能となっており、余白領域に合わせて描画領域を縮小して画像形成をすることも可能である。
【先行技術文献】
【特許文献】
【０００４】
【特許文献１】特開２００８−１２４６８８号公報
【発明の概要】
【発明が解決しようとする課題】
【０００５】
しかしながら、従来の描画データ生成装置及びそれを用いた画像形成装置では、次の（ａ）〜（ｃ）のような課題があった。
【０００６】
（ａ）  記録媒体の裏面と表面とを区別して余白領域がある面を揃えることは可能であるが、余白領域の面積が同程度であれば、余白領域の形状や位置を考慮することなく同一のトレイにて分別されてしまう。
【０００７】
（ｂ）  別の形態では、余白領域が半分以上ある画像形成済みの記録媒体に対して、上下方向の余白領域と左右方向の余白領域を区別して分別しているが、この分別では少なくとも上下方向の余白領域に関しては、上側が余白領域なのか下側が余白領域なのか、再度読み込みを行わないと判断ができない。
【０００８】
（ｃ）  これらの画像形成済みの記録媒体の分別は、原稿読み取り装置があることを前提にしているため、原稿読み取り装置等がない場合は実現できない。
【課題を解決するための手段】
【０００９】
本発明の描画データ生成装置は、描画情報を解析して第１描画データを生成する描画データ生成手段と、前記第１描画データに基づいて、画像形成用の記録媒体の余白領域の目安を示すガイドマークを前記第１画像データに埋め込む必要があるか否かを判断して、前記ガイドマークが必要なときは前記ガイドマークを前記第１描画データに埋め込んで第２描画データを生成するガイドマーク埋め込み手段と、を備えたことを特徴とする。
【００１０】
本発明の画像形成装置は、前記描画データ生成装置と、前記描画データ生成装置で生成された前記第２描画データから、前記記録媒体に対する画像形成用の画像データを生成する画像データ生成手段と、生成された前記画像データに基づいて前記記録媒体に画像を形成する画像形成部と、を備えたことを特徴とする。
【発明の効果】
【００１１】
本発明の描画データ生成装置及び画像形成装置によれば、描画情報を解析して第１描画データを生成する描画データ生成手段と、前記第１描画データに基づいて、画像形成用の記録媒体の余白領域の目安を示すガイドマークを前記第１描画データに埋め込む必要があるか否かを判断して、前記ガイドマークが必要なときは前記ガイドマークを前記第１描画データに埋め込んで第２描画データを生成するガイドマーク埋め込み手段とを備えている。これにより、原稿読取装置がなくても、必要に応じて、画像形成用の記録媒体の余白領域の目安を示すガイドマークを第１描画データに埋め込むので、記録媒体における余白領域の形状や位置を考慮して画像形成済みの記録媒体を分別することができる。
【図面の簡単な説明】
【００１２】
【図１】図１は本発明の実施例１における画像形成装置の概略を示すブロック図である。
【図２】図２は本発明の実施例１における記録媒体上の描画の例を示す図である。
【図３】図３は図１中の第１描画データＳ２１の例を示す図である。
【図４】図４は図１中の描画データ生成装置２０における処理を示すフローチャートである。
【図５】図５は印刷方向Ｙ及びＸにおける記録媒体の中央線と余白領域の関係を説明する図である。
【図６】図６は実施例１におけるガイドマークＧの例を示す図である。
【図７】図７は図６のガイドマークＧの描画データの例を示す図である。
【図８】図８は図６のガイドマークＧが埋め込まれた画像データＳ２５の描画の例を示す図である。
【図９】図９は本発明の実施例２における画像形成装置１Ａの概略を示すブロック図である。
【図１０】図１０は図９中の位置補正部２３の動作を説明するための図である。
【図１１】図１１は図９中の描画データ生成装置２０Ａにおける処理を示すフローチャートである。
【図１２】図１２は実施例２におけるガイドマークＧの例を示す図である。
【図１３】図１３は図１２のガイドマークＧが埋め込まれた画像データＳ２５Ａの描画の例を示す図である。
【発明を実施するための形態】
【００１３】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１４】
（実施例１の構成）
図１は、本発明の実施例１の画像形成装置１の概略を示すブロック図である。
【００１５】
画像形成装置１は、例えば、プリンタであり、通信ケーブル３等を介してホストコンピュータ（以下「ホスト」という。）２と接続されている。受信部４は、通信ケーブル３を介してホスト２から、描画に必要な描画情報ＳＢを受け取り、受け取った描画情報ＳＢを描画データ生成装置２０へ出力するものである。
【００１６】
印刷制御部１０は、受信部４で受け取った描画情報ＳＢから画像形成用の画像データＳ２５を生成する制御を含めて、画像形成装置１の全体の制御を行うものである。この印刷制御部１０には、操作部１１、記憶領域１２、描画データ生成装置２０、画像データ生成部２５、及びプロセス制御部２６が接続されている。
【００１７】
操作部１１は、ユーザが画像形成装置１に対し、各種の設定等を行うものであり、例えば、画像形成装置１において用紙等の記録媒体ＫＢの余白領域ＹＨの割合と位置の目安を示すガイドマークＧを埋め込むか否かを指定することが可能である。記憶領域１２は、受信部４で受け取った描画情報ＳＢや、描画データの生成過程でのデータの一時保管、又は、生成した描画データの保管用として使用するものである。ガイドマークＧが埋め込まれたか否かの情報も記憶領域１２に記憶される。
【００１８】
描画データ生成装置２０は、受信部４で受け取った描画情報ＳＢを解析し、実際に描画される描画データである第２描画データＳ２２を生成して出力する装置である。この描画データ生成装置２０は、描画情報ＳＢを解析して第１描画データＳ２１を生成する描画データ生成手段としての図形解析部２１と、ガイドマークＧを第１描画データＳ２１に埋め込む必要があるか否かを判断して、ガイドマークＧが必要なときはガイドマークＧを第１描画データＳ２１に埋め込んで第２描画データＳ２２を生成するガイドマーク埋め込み手段としてのガイドマーク埋め込み部２２と、を備えている。
【００１９】
画像データ生成手段としての画像データ生成部２５は、描画データ生成装置２０で生成された第２描画データＳ２２から画像形成用の画像データＳ２５を生成して、画像データＳ２５をプロセス制御部２６へ出力するものである。プロセス制御部２６は、画像データ生成部２５で生成された画像データＳ２５を受け取ると、画像形成手段としての画像形成部２７を制御して受け取った画像データＳ２５に基づいて記録媒体ＫＢに画像を形成させるものである。
【００２０】
（実施例１の動作）
本実施例１の動作について、（Ｉ）画像形成装置全体の概略の動作と、（II）描画データ生成部の動作と、に分けて説明する。
【００２１】
（Ｉ）画像形成装置全体の概略の動作
図２（ａ），（ｂ）は、本発明の実施例１における記録媒体上の描画の例を示す図であり、図２（ａ）は印刷方向がＹ方向で横書きの場合の描画の例、図２（ｂ）は印刷方向がＸ方向で縦書きの場合の描画の例である。
【００２２】
図２（ａ）には、描画可能領域ＢＫの上部にタイトルＴ及び文章ＢＮの画像が形成された印刷方向がＹ方向の記録媒体ＫＢが示されている。図２（ｂ）には、描画可能領域ＢＫの右側部分につめてタイトルＴ及び文章ＢＮ、カラーパターンデータ描画領域ＢＧの画像が形成された印刷方向がＸ方向の記録媒体ＫＢが示されている。
【００２３】
図３（ａ）〜（ｃ）は、図１中の第１描画データＳ２１の例を示す図であり、図３（ａ）はカラーパターンデータ描画領域ＢＧに描画される描画カラー情報ＳＢ１の例、図３（ｂ）はタイトルＴ又は文章ＢＮに描画される文字情報ＳＢ２の例、図３（ｃ）は描画領域情報ＳＢ３の例が示されている。
【００２４】
カラー情報ＳＢ１は、解像度ＳＢ１ａ、カラーパターンデータ描画領域ＢＧのＸ方向の長さを示すＸサイズＳＢ１ｂ、カラーパターンデータ描画領域ＢＧのＹ方向の長さを示すＹサイズＳＢ１ｃ、カラーパターンデータを置く基準点のＸ座標ＳＢ１ｄ、カラーパターンデータを置く基準点のＹ座標ＳＢ１ｅ、及びカラーパターンデータＳＢ１ｆから構成されている。
【００２５】
文字情報ＳＢ２は、解像度ＳＢ２ａ、文字データのＸ方向の長さを示すＸサイズＳＢ２ｂ、文字データのＹ方向の長さを示すＹサイズＳＢ２ｃ、文字データを置く基準点のＸ座標ＳＢ２ｄ、文字データを置く基準点のＹ座標ＳＢ２ｅ、及び文字データＳＢ２ｆから構成されている。
【００２６】
カラー情報ＳＢ１の描画データはカラーの要素が変わるたびに生成され、文字情報ＳＢ２の描画データは１文字ごとに生成される。
【００２７】
先ず、受信部４で受け取った描画情報ＳＢから画像データＳ２５を生成してプロセス制御部２６にて記録媒体ＫＢ上に画像が形成されるまでの動作の概要を図１〜図３を用いて説明する。
【００２８】
描画情報ＳＢは、ホスト２から受信部４へ一括又は個々に送られてくる。例えば、図２（ａ）のような文章のイメージについて画像形成しようとするとき、受信部４は、描画情報ＳＢとして、用紙サイズ、色、描画するものの種類、位置等の情報を受け付ける。図２（ａ）では、タイトルＴ、文章ＢＮが書かれているため、文字を書く位置や、文字の大きさ、種類、色、太さ等の文字修飾の方法等の情報も含まれる。印刷制御部１０では、受信部４が描画情報ＳＢを受け取ると、受け取った描画情報ＳＢを描画データ生成装置２０に渡して描画データ生成装置２０を起動する。
【００２９】
描画データ生成装置２０は、図形解析部２１にて受け取った描画情報ＳＢを解析し、指定の記録媒体ＫＢのサイズに収まる第１描画データＳ２１を生成する。ここでは、文字描画に関する情報を解析し、指定された文字の位置、大きさ、種類、色、太さ等に応じて描画すべき文字を算出し、第１の描画データＳ２１を生成する。
【００３０】
図形解析部２１にて、記録媒体ＫＢの１ページ分の第１描画データＳ２１の生成が終わると、ガイドマーク埋め込み部２２にて、ガイドマークＧを埋め込む必要があるか否かを判断する。ガイドマークＧの埋め込みが必要と判定されると、ガイドマーク埋め込み部２２は、第１描画データＳ２１にガイドマークＧを埋め込んで第２描画データＳ２２を生成し、生成した第２描画データＳ２２を画像データ生成部２５へ出力する。
【００３１】
画像データ生成部２５では、描画データ生成装置２０で生成された第２描画データＳ２２から画像形成用の画像データＳ２５を生成し、生成した画像データＳ２５をプロセス制御部２６に出力する。プロセス制御部２６は、画像形成手段としての画像形成部２７を制御して、画像データ生成部２５にて生成された画像データＳ２５に基づいて記録媒体ＫＢ上に画像を形成する。
【００３２】
（II）描画データ生成装置の動作
図４は、図１中の描画データ生成装置２０における処理を示すフローチャートであり、図５（ａ），（ｂ）は、印刷方向Ｙ及びＸにおける記録媒体ＫＢの中央線Ｔｙ，Ｔｘと余白領域の関係を説明する図である。又、図６（ａ）〜（ｄ）は実施例１におけるガイドマークＧの例を示す図であり、図７（ａ）〜（ｄ）は、図６（ａ）〜（ｄ）のガイドマークＧの描画データの例を示す図である。更に、図８（１）〜（４）は、図６（ａ）〜（ｄ）のガイドマークＧが埋め込まれた画像データＳ２５の描画の例を示す図である。
【００３３】
以下、図１〜８を参照しつつ、図４のフローチャートに沿って、描画データ生成装置２０の詳細な動作について説明する。
【００３４】
図４において、処理が開始されると、ステップＳＴ１へ進み、ステップＳＴ１において、図形解析部２１は、受信部４が受け取った描画情報ＳＢを１つずつ読み出し、ステップＳＴ２へ進む。ステップＳＴ２において、図形解析部２１は、読み出した描画情報ＳＢの種類（例えば、描画対象、色・パターン関連、修飾情報等）を判別し、図形やイメージや文字のように実際に描画する対象物であれば（描画対象物）、ステップＳＴ３へ進み、色やパターン（模様）に関する情報であれば（色・パターン関連）、ステップＳＴ６へ進み、その他の例えば、線の太さやスケール、文字の太さや大きさ・種類等の描画対象物を修飾する情報であれば（修飾情報）、ステップＳＴ７へ進む。更に、ページ終了の情報であれば（ページ終了）、ステップＳＴ８へ進む。
【００３５】
ステップＳＴ６において、読み出した描画情報ＳＢが色やパターンに関するものであった場合、図形解析部２１は、例えば、図３に示されたカラー情報ＳＢ１のように必要事項を算出して第１描画データＳ２１を生成して記憶領域１２へ保存し、ステップＳＴ１へ戻る。
【００３６】
ステップＳＴ７において、読み出した描画情報ＳＢが修飾情報であれば、図形解析部２１は、修飾情報を記録領域１２へ保存し、ステップＳＴ１へ戻る。
【００３７】
ステップＳＴ３において、図形解析部２１は、記憶領域１２から描画対象物を修飾する修飾情報を読み出し、ステップＳＴ４へ進む。ステップＳＴ４において、ステップＳＴ３で読み出した修飾情報に従って、描画対象物を加工し、加工した描画対象物を実際に描画できる範囲にある部分のみの形に加工する。それを図３（ｂ）に示された文字情報ＳＢ２のように必要情報を算出し、第１描画データＳ２１を作成して記憶領域１２に保存し、ステップＳＴ５へ進む。ステップＳＴ５において、ステップＳＴ４で算出された描画対象物の位置のＸ，Ｙ座標の最小値、最大値をそれまでのＸ，Ｙ座標の最小値、最大値と比較し、それまでの最小値より新たな最小値が小さい場合及びそれまでの最大値より新たな最大値が大きい場合は、図３（ｃ）に示された描画領域情報ＳＢ３における最小値及び最大値ＳＢ３ａ〜ＳＢ３ｄを更新し、ステップＳＴ１へ戻る。尚、Ｘ，Ｙ座標の最小値の初期値は取り得る値の最大値、Ｘ，Ｙ座標の最大値の初期値は取り得る値の最小値を設定しておけば、最初の第１描画データＳ２１を作成したとき、第１描画データＳ２１のＸ，Ｙ座標の最小値、最大値が設定されることになる。
【００３８】
ステップＳＴ１〜ＳＴ７の処理により、読み出した１つの描画情報ＳＢに対する処理が終わると、ステップＳＴ１に戻って次の描画情報ＳＢを読み出す。これを１ページの描画情報ＳＢの全てを読み出して処理するまで繰り返す。ステップＳＴ２で読み出した描画情報ＳＢがページ終了であれば、１ページ分の図形解析処理が終わり、ステップＳＴ８へ進み、ガイドマーク埋め込みの処理に移行する。
【００３９】
ステップＳＴ８において、ガイドマーク埋め込み部２２は、ホスト２又は操作部１１から、ガイドマークＧを埋め込む指定がされたか否かを判断し、ガイドマークＧを埋め込む指定がなければ（指定無）、そのまま処理を終了し、ガイドマークを埋め込む指定があれば（指定有）、ステップＳＴ９へ進む。ステップＳＴ９において、ガイドマーク埋め込み部２２は、１ページ分の描画領域ＢＨの範囲と記録媒体ＫＢのサイズの関係を判断する。
【００４０】
図５（ａ），（ｂ）は、印刷方向Ｙ及びＸにおける記録媒体ＫＢの中央線Ｔｙ，Ｔｘと余白領域ＹＨの関係を説明する図である。例えば、図５（ａ）では、縦長の記録媒体ＫＢの中央部に１点鎖線で引かれた中央線Ｔｙに対して、描画全体のＹ座標の最小値も最大値も中央線Ｔｙの上側になっていることから、記録媒体ＫＢに対して中央線Ｔｙの下側に半分以上の余白領域ＹＨが有ることが分かる。同様に、図５（ｂ）では、横長の記録媒体ＫＢの中央部に１点鎖線で引かれた中央線Ｔｘに対して、描画全体のＹ座標の最小値も最大値も中央線Ｔｘの右側になっていることから、記録媒体ＫＢに対して中央線Ｔｘの左側に半分以上の余白領域ＹＨが有ることが分かる。尚、中央線Ｔｘ，Ｔｙは説明上図示した線であり、実際には記録媒体に記録してなくても良い。
【００４１】
図５（ａ）の場合は、Ｙ座標の最小値が用紙の長さの半分の座標値より大きいか、Ｙ座標の最大値が記録媒体ＫＢの長さの半分の座標値より小さければ記録媒体ＫＢに対して半分以上の余白領域ＹＨが有るということであり、図５（ｂ）の場合は、Ｘ座標に対して同様に判断する。
【００４２】
ステップＳＴ９において、描画領域ＢＨが１ページの半分にのみある場合はステップＳＴ１０へ進み、ステップＳＴ１０において、ガイドマーク埋め込み部２２は、ガイドマークＧを埋め込み、描画領域ＢＨに１ページの半分以上の余白領域ＹＨがない場合は処理を終了する。
【００４３】
例えば、図６（ａ）〜（ｄ）に示されたようなガイドマークＧを予め作成して置く。図６（ａ）及び図６（ｂ）は、下半分に余白領域ＹＨがあることを白画素Ｗと灰色画素Ｈとで示すガイドマークＧを示し、図６（ｃ）及び図６（ｄ）は、上半分に余白領域ＹＨがあることを白画素Ｗと灰色画素Ｈとで示すガイドマークＧを示している。
【００４４】
ステップＳＴ１０では、ガイドマークＧを描画するためのカラー情報ＳＢ１を図３の形式で作成し記憶領域１２に保存する。カラー情報ＳＢ１として、例えば、灰色等の淡い色を設定する。次にガイドマークＧを他の文字情報ＳＢ２の描画データＳＢと同様な形式にして記憶領域１２に保存する。
【００４５】
図６に示されたガイドマークＧでは、Ｘサイズ１４、Ｙサイズ１８の画素により構成されている。又、ガイドマークＧの位置座標は縦置きの記録媒体ＫＢではＹ座標が記録媒体ＫＢの長さの半分の位置、Ｘ座標は左右の印刷範囲境界に位置させ、第１描画データＳ２１による描画に影響を与えないようにする。
【００４６】
横置き記録媒体ＫＢではＸ座標が記録媒体ＫＢの長さの半分の位置、Ｙ座標は上下の印刷範囲境界に位置させる。
【００４７】
このように生成した第２描画データＳ２２を画像データ生成部２５で画像形成用の画像データＳ２５にして、プロセス制御部２６により、記録媒体ＫＢ上に画像を形成させると、図８（１）〜（４）に示すような描画結果になる。尚、図８（１）〜（４）の中央線Ｔｘ，Ｔｙは説明の便宜上設けた線であり、実際に描画されるものではない。
【００４８】
図８（１）は、印刷方向がＹ方向で下半分に余白領域ＹＨがある場合のガイドマークＧの描画例であり、図８（２）は、印刷方向がＹ方向で上半分に余白領域ＹＨがある場合のガイドマークＧの描画例であり、図８（３）は、印刷方向がＸ方向で左半分に余白領域ＹＨがある場合のガイドマークＧの描画例であり、図８（４）は、印刷方向がＸ方向で右半分に余白領域ＹＨがある場合のガイドマークＧの描画例である。図８（１）〜（４）には、余白領域ＹＨの位置を示すガイドマークＧ（ａ），Ｇ（ｂ），Ｇ（ｃ），Ｇ（ｄ）がそれぞれ埋め込まれている。
【００４９】
尚、図８（３）、図８（４）のように横詰めで左又は右方向に余白領域ＹＨがある場合は、図６（ａ），図６（ｂ），図６（ｃ），図６（ｄ）のガイドマークＧ（ａ），Ｇ（ｂ），Ｇ（ｃ），Ｇ（ｄ）を時計回りに９０度回転し、余白領域ＹＨに連動して描画することになる。
【００５０】
以上の説明では、余白領域ＹＨを記録媒体ＫＢの半分として説明をしたが、余白領域ＹＨはユーザの活用度に応じて１／３，２／３，１／４等に設定しても良く、記録媒体ＫＢに対する余白領域ＹＨの割合によって、本実施例１の実現方法が変わるものではない。
【００５１】
（実施例１の効果）
本実施例１の描画データ生成装置２０及び画像形成装置１によれば、次の（１）〜（３）のような効果がある。
【００５２】
（１）  画像形成済みの記録媒体ＫＢに半分以上の余白領域ＹＨがあるときにのみ、記録媒体ＫＢの半分の位置にガイドマークＧを埋め込むようにしている。これにより、ユーザは、原稿読み取り装置がなくても容易に余白領域ＹＨの割合を認識でき、余白領域ＹＨに画像を追加できるか否かを即座に判断できる。
【００５３】
（２）  余白領域ＹＨが少ないときはガイドマークＧを埋め込まず、余白領域が多く、ガイドマークＧを埋め込む場合でも、埋め込むガイドマークＧの色を淡い灰色にしている。これにより、初めに画像形成したドキュメントの見栄え等を著しく損なうことなく、画像形成のためのインクやトナー等の消費を必要最小限に抑えることができる。
【００５４】
（３）  ガイドマークＧを埋め込むか否かをユーザが操作部１１から指定できるようにしている。これにより、ユーザは、記録媒体ＫＢを再利用する際の利便性を高めることができる。
【実施例２】
【００５５】
（実施例２の構成）
図９は、本発明の実施例２における画像形成装置１Ａの概略を示すブロック図であり、実施例１を示す図１中の要素と共通の要素には共通の符号が付されている。
【００５６】
画像形成装置１Ａは、実施例１と同様の通信ケーブル３を介して実施例１と同様のホスト２と接続されている。画像形成装置１Ａは、実施例１と同様の受信部４、印刷制御部１０、操作部１１、記憶領域１２、画像データ生成部２５、プロセス制御部２６及び画像形成部２７と、実施例１とは機能が異なる描画データ生成装置２０Ａを備えている。
【００５７】
描画データ生成装置２０Ａは、実施例１の描画データ生成装置２０に対し、記録媒体ＫＢに対する余白領域ＹＨが多く取れるように描画領域ＢＨの位置を補正する位置補正部２３が追加されている。描画データ生成装置２０Ａは、実施例１と同様の図形解析部２１と、新たに追加された位置補正部２３と、ガイドマークＧを埋め込む必要の有無を判断し、ガイドマークＧが必要な時は位置補正部２３で補正して生成された第３描画データＳ２３に対して、第３描画データＳ２３の余白領域ＹＨに応じたガイドマークＧを埋め込むガイドマーク埋め込み手段としてのガイドマーク埋め込み部２２Ａを備えている。他の構成については実施例１を示す図１と同様である。
【００５８】
（実施例２の動作）
先ず、描画データ生成装置２０Ａ及び画像データ生成部２５により、受信部４で受け取った描画情報ＳＢから画像データＳ２５Ａを生成し、プロセス制御部２６において、画像データＳ２２Ａに基づいて記録媒体ＫＢ上に画像が形成されるまでの動作の概要について図９を用いて説明する。
【００５９】
受信部４で描画情報ＳＢを受け取り、描画データ生成装置２０Ａの図形解析部２１で指定用紙サイズに収まる第１描画データＳ２１が生成されるまでの動作は、実施例１と同様である。図形解析部２１にて、１ページ分の第１描画データＳ２１の生成が終わると、位置補正部２３は、余白優先の要否を判断し、余白優先の時は位置補正の必要性に応じて図形解析部２１で生成した第１描画データＳ２１の位置補正を行う。続いてガイドマーク埋め込み部２２Ａは、ガイドマークＧを埋め込む必要があるか否かを判断し、ガイドマークＧが必要な時は位置補正部２３で補正した第３描画データＳ２３に対して、第３描画データＳ２３の余白領域ＹＨに応じたガイドマークＧを埋め込む。
【００６０】
描画データ生成装置２０Ａで生成された第２描画データＳ２２Ａを、画像データ生成部２５にて画像データＳ２５Ａに編集し、プロセス制御部２６にて記録媒体ＫＢ上に画像が形成されるまでの動作は実施例１と同様である。
【００６１】
図１０（ａ），（ｂ）は、図９中の位置補正部２３の動作を説明するための図である。図１１は、図９中の描画データ生成装置２０Ａにおける処理を示すフローチャートである。図１２（ａ）〜（ｄ）は、実施例２におけるガイドマークＧの例を示す図であり、更に、図１３（ａ）〜（ｄ）は、図１２（ａ）〜（ｄ）のガイドマークＧが埋め込まれた画像データＳ２５Ａの描画の例を示す図である。
【００６２】
次に、位置補正部２３とガイドマーク埋め込み部２２Ａの詳細な動作について、図３、図９、図１０（ａ），（ｂ）、図１２（ａ）〜（ｄ）、図１３（ａ）〜（ｄ）を参照しつつ、図１１のフローチャートに沿って説明する。
【００６３】
処理が開始されると、ステップＳＴ２１へ進み、ステップＳＴ２１において、図形解析部２１は、受信部４で受け取った描画情報ＳＢを解析し第１描画データＳ２１を生成するが、実施例１の第１描画データＳ２１の生成の方法（図４のステップＳＴ１〜ＳＴ７）と同様であるため、動作の詳細な説明は省略する。ステップＳＴ２１において、１ページ分の第１描画データＳ２１の生成が終わると、ステップＳＴ２２へ進む。
【００６４】
ステップＳＴ２２において、位置補正部２３は、余白優先がホスト２又は操作部１１から指定されたか否かを判断し、余白優先の指定があった場合（有）、ステップＳＴ２３へ進み、余白を優先しない場合（無）、ステップＳＴ２６へ進む。
【００６５】
ステップＳＴ２３において、余白優先の指定があった場合、位置補正部２３は、１ページ分の描画領域ＢＨの範囲と記録媒体ＫＢの位置関係を判断する。図３のように図形解析部２１にて描画のＸ，Ｙ座標の最小値、最大値が算出されているため、描画領域の幅と高さが算出できる。尚、本実施例２では、記録媒体ＫＢにおける有効な余白領域ＹＨ割合を１／２，１／３,１／４，２／３の４種類として説明をする。この４種類の余白領域ＹＨの中では余白領域の最低面積は記録媒体ＫＢの１／４となる。従って、最低でも記録媒体ＫＢの１／４の余白領域ＹＨは必要であるため、描画領域ＢＨが記録媒体ＫＢのサイズの３／４以下であれば余白領域ＹＨが存在することになる。例えば、記録媒体ＫＢが縦置きの時は描画領域ＢＨの高さが記録媒体ＫＢの長さの３／４以下であれば余白領域ＹＨが存在する。ここで描画領域ＢＨが３／４より大きい、即ち１／４の余白領域ＹＨも取れない場合（無）は、座標位置の補正の必要はないので、次のガイドマーク埋め込み部２２Ａの処理であるステップＳＴ２６へ進む。ＳＴ２３において、１／４以上の余白領域ＹＨが取れると判断された場合（有）は、ステップＳＴ２４へ進む。ステップＳ２４において、位置補正部２３は、座標の補正量を算出する。
【００６６】
座標の補正量（Δｘ，Δｙ）は、例えば、印刷可能領域ＢＫの左上座標から描画領域ＢＨの左上座標を減算することにより算出できることが図１０（ａ）に示されている。補正量算出後、ステップＳＴ２５へ進み、位置補正部２３にて実際に座標を移動させて補正し、同時に描画領域を表すＸ，Ｙ座標の最小値、最大値も補正する。位置補正をする方法は、例えば図３のようになっている描画データに対して、カラー情報であれば、基準点のＸ，Ｙ座標をステップＳＴ２４で算出した補正量で補正する。同様に、文字情報ＳＢ２であれば位置を表すＸ,Ｙ座標を補正する。これにより、例えば図１０（ａ）のような描画領域ＢＨは図１０（ｂ）のように位置補正され、破線で示された余白領域ＹＨが図１０（ａ）より広い図１０（ｂ）の余白領域ＹＨとなる。
【００６７】
ステップＳＴ２６以降のガイドマーク埋め込み部２２Ａの処理の説明に移る。本実施例２では余白領域ＹＨを４種類としているが、それぞれのガイドマークＧを例えば、図１２のように作成しておく。即ち、図１２（ａ）は余白領域２／３、図１２（ｂ）は余白領域１／２、図１２（ｃ）は余白領域１／３、図１２（ｄ）は余白領域１／４を白画素Ｗと灰色画素Ｈとでそれぞれ表すガイドマークＧとする。この例では、いずれもＸサイズは１４、Ｙサイズは１６となっている。
【００６８】
先ず、ステップＳＴ２６において、ガイドマーク埋め込み部２２Ａは、ホスト４又は操作部１１からガイドマークＧを埋め込む指定がされたか否かを判断し、ガイドマークＧを入れる指定がなければ（指定無）、そのまま処理を終了し、ガイドマークの指定があった場合（指定有）は、ステップＳＴ２７へ進む。ステップＳＴ２７において、１ページ分の描画領域ＢＨと記録媒体ＫＢのサイズから、余白領域の量を判断する。例えば、縦置きの記録媒体ＫＢであった場合、Ｙ座標の最小値が記録媒体ＫＢの長さの２／３の座標値より大きいか、Ｙ座標の最大値が記録媒体ＫＢの長さの１／３の座標値より小さければ記録媒体ＫＢに対して２／３以上の余白領域ＹＨが有るということである。２／３以上の余白領域ＹＨがあると判断された場合（２／３余白有）は、ステップＳＴ２８へ進み、ステップＳＴ２８において、ガイドマークＧを描画するためのカラー情報を図３の形式で作成し記憶領域１２に保存して処理を終了する。このときガイドマークＧのカラー情報ＳＢ１のデータとしては、例えばグレーなどの淡い色を設定する。次に図１２（ａ）に示されたガイドマークＧ（2/3）を他の文字情報ＳＢ２の描画データＳＢと同様に描画データＳＢの形式にして記憶領域１２に保存する。図１２（ａ）のガイドマークＧ(2/3)では、Ｘサイズは１４、Ｙサイズは１６となる。また、ガイドマークＧ(2/3)の位置座標は縦置きの記録媒体ＫＢではＹ座標が、記録媒体ＫＢの下方に２／３の余白領域ＹＨがある場合は上方１／３の位置に、上方に２／３の余白領域ＹＨがある場合は下方１／３の位置になり、Ｘ座標は左右の印刷範囲境界に位置させ、第３描画データＳ２３の描画に影響を与えないようにする。横置き記録媒体ＫＢではＸ座標が記録媒体ＫＢの左側に２／３の余白領域ＹＨがある場合は右側１／３の位置に、右側に２／３の余白領域ＹＨがある場合は左側１／３の位置になり、Ｙ座標は上下の印刷範囲境界に位置させる。このように生成した第２描画データＳ２２Ａを画像データ生成部２５で画像データＳ２５Ａにして記録媒体ＫＢ上に画像を形成させると、図１３（ａ）のような画像形成結果になる。
【００６９】
ステップＳＴ２７において、Ｙ座標の最小値が記録媒体ＫＢの長さの１／２の座標値より大きいか、Ｙ座標の最大値が記録媒体ＫＢの長さの１／２の座標値より小さければ記録媒体ＫＢに対して１／２以上の余白領域ＹＨが有ると判断され、ステップＳＴ２９において、余白領域１／２を表す図１２（ｂ）のガイドマークＧ(1/2)を描画するための描画データＳＢを作成し、記憶領域１２に保存して処理を終了する。ガイドマークＧの位置座標は縦置きの記録媒体ＫＢではＹ座標が記録媒体ＫＢの長さの半分の位置、Ｘ座標は左右の印刷範囲境界に位置させ、横置き記録媒体ＫＢではＸ座標が記録媒体ＫＢの長さの半分の位置、Ｙ座標は上下の印刷範囲境界に位置させる。このように生成した第２描画データＳ２２Ａを画像データ生成部２５で画像データＳ２５Ａにして記録媒体ＫＢ上に画像を形成させると、図１３（ｂ）のような画像形成結果になる。
【００７０】
ステップＳＴ２７において、Ｙ座標の最小値が記録媒体ＫＢの長さの１／３の座標値より大きいか、Ｙ座標の最大値が記録媒体ＫＢの長さの２／３の座標値より小さければ記録媒体ＫＢに対して１／３以上の余白領域ＹＨが有ると判断され、ステップＳＴ３０において、余白領域１／３を示す図１２（ｃ）のガイドマークＧ(1/3)を描画するための描画データＳＢを作成し、記憶領域１２に保存して処理を終了する。ガイドマークＧ(1/3)の位置座標は縦置きの記録媒体ＫＢではＹ座標が、記録媒体ＫＢの下方に１／３の余白領域ＹＨがある場合は下方１／３の位置に、上方に１／３の余白領域ＹＨがある場合は上方１／３の位置になり、Ｘ座標は左右の印刷範囲境界に位置させ、横置き記録媒体ＫＢではＸ座標が記録媒体ＫＢの左側に１／３の余白領域ＹＨがある場合は左側１／３の位置に、右側に１／３の余白領域ＹＨがある場合は右側１／３の位置になり、Ｙ座標は上下の印刷範囲境界に位置させる。このように生成した第２描画データＳ２２Ａを画像データ生成部２５で画像データＳ２５Ａにして記録媒体ＫＢ上に画像を形成させると、図１３（ｃ）のような画像形成結果になる。
【００７１】
ステップＳＴ２７において、Ｙ座標の最小値が記録媒体ＫＢの長さの１／４の座標値より大きいか、Ｙ座標の最大値が記録媒体ＫＢの長さの３／４の座標値より小さければ記録媒体ＫＢに対して１／４以上の余白領域ＹＨが有ると判断され、ステップＳＴ３１において、余白領域１／４を示す図１２（ｄ）のガイドマークＧ(1/4)を描画するための描画データＳＢを作成し、記憶領域１３に保存して処理を終了する。ガイドマークＧ(1/4)の位置座標は縦置きの記録媒体ＫＢではＹ座標が、記録媒体ＫＢの下方に１／４の余白領域ＹＨがある場合は下方１／４の位置に、上方に１／４の余白領域ＹＨがある場合は上方１／４の位置になり、Ｘ座標は左右の印刷範囲境界に位置させ、横置き記録媒体ＫＢではＸ座標が記録媒体ＫＢの左側に１／４の余白領域ＹＨがある場合は左側１／４の位置に、右側に１／４の余白領域ＹＨがある場合は右側１／４の位置になり、Ｙ座標は上下の印刷範囲境界に位置させる。このように生成した第２描画データＳ２２Ａを画像データ生成部２５で画像データＳ２５Ａにして記録媒体ＫＢ上に画像を形成させると、図１３（ｄ）のような画像形成結果になる。
【００７２】
（実施例２の効果）
本実施例２の描画データ生成装置２０Ａ及び画像形成装置１Ａによれば、実施例１の効果に加え、以下のような効果がある。
【００７３】
（１）  画像形成済みの記録媒体ＫＢの余白領域ＹＨの割合、例えば、２／３，１／２，１／３，１／４等に応じて、ガイドマークＧの種類を2/3，1/2，1/3，1/4等にそれぞれ替えている。これにより、原稿読取装置がなくても、ユーザは、余白領域ＹＢの割合を容易に認識でき、余白領域ＹＨに追加したい画像が入るか否かを即座に判断できる。
【００７４】
（２）  ユーザが余白優先を指定できるようにし、余白優先が指定された場合には、描画領域ＢＨを余白領域ＹＨが多く取れるように位置補正する位置補正部２３を備えている。これにより、より大きな余白領域ＹＨを確保しやすくなり、画像形成済みの記録媒体ＫＢを再利用する際の利便性が向上する。
【００７５】
（変形例）
本発明は、上記実施例１、２に限定されず、種々の利用形態や変形例が可能である。この利用形態や変形例として、例えば、次の（１）〜（３）のようなものがある。
【００７６】
（１）  実施例１、２では、画像形成装置１，１Ａとしてプリンタについて説明したが、画像形成装置は、プリンタに限定されない。例えば、多機能周辺装置（Multifunction  Peripheral（ＭＦＰ））やファクシミリ装置、複写装置にも適用可能である。
【００７７】
（２）  本発明の実施例１、２では、描画データ生成装置２０，２０Ａにおける余白領域ＹＨの特定の仕方は、ＸＹ座標における最大値及び最小値からなる矩形領域として説明したが、余白領域ＹＨは矩形領域に限定されない。例えば、楕円領域、星形領域として余白領域ＹＨを特定するようにしても良い。この場合は、例えば、楕円領域の場合の図３（ｃ）における描画領域情報ＳＢ３の描画データは、楕円領域の中心のＸ，Ｙ座標と楕円の長軸の長さａ及び楕円の短軸の長さｂの情報等とすれば良い。
【００７８】
（３）  実施例２の位置補正部２３は、画像形成済みの記録媒体ＫＢにおける余白領域ＹＨが多くとれるように、描画領域ＢＨを平行移動する位置補正について説明したが、位置補正は平行移動に限定されず、平行移動に加え、描画領域ＢＨをＸ軸とＹ軸を同じ比率で縮小するようにしても良い。
【符号の説明】
【００７９】
１，１Ａ        画像形成装置
２        ホスト
３        通信ケーブル
４        受信部
１０        印刷制御部
１１        操作部
１２        記憶領域
２０，２０Ａ        描画データ生成装置
２１        図形解析部
２２，２２Ａ        ガイドマーク埋め込み部
２３        位置補正部
２５        画像データ生成部
２６        プロセス制御部
２７        画像形成部
ＢＧ        カラーパターンデータ描画領域
ＢＨ        描画領域
ＢＫ        描画可能領域
Ｇ，Ｇ(a)，Ｇ(b)，Ｇ(c)，Ｇ(d)，Ｇ(2/3)，Ｇ(1/2)，Ｇ(1/3)，Ｇ(1/4)    ガイドマーク
ＫＢ        記録媒体
Ｔｘ，Ｔｙ        中央線
ＹＨ        余白領域
【図１】
2014064228.tif 000003
【図２】
2014064228.tif 000004
【図３】
2014064228.tif 000005
【図４】
2014064228.tif 000006
【図５】
2014064228.tif 000007
【図６】
2014064228.tif 000008
【図７】
2014064228.tif 000009
【図８】
2014064228.tif 000010
【図９】
2014064228.tif 000011
【図１０】
2014064228.tif 000012
【図１１】
2014064228.tif 000013
【図１２】
2014064228.tif 000014
【図１３】
2014064228.tif 000015